(57)【特許請求の範囲】
【請求項１】
カメラ本体に設けられたカートリッジ室を開閉する蓋と、
前記カメラ本体に、同軸に回動自在に取付けられた第１および第２レバーと、
前記第１レバーを、前記蓋に係止するために該蓋側に向けて付勢する第１バネと、
前記第１レバーと第２レバーとを連結する第２バネと、
前記蓋に設けられて、前記第２レバーが前記第１レバーとともに前記第１バネの付勢力に抗して所定量回転した際に、該第２レバーの下端部が当接して、該第２レバーの回転を阻止する当接部と、
前記カメラ本体に設けられて、前記第１レバーの回動によって、前記カートリッジ室に装填されたフィルムカートリッジの遮光扉を開閉する遮光扉開閉機構と、
この遮光扉開閉機構に設けられて、該遮光扉開閉機構を前記遮光扉が開放される扉開放方向及び前記遮光扉が閉鎖される扉閉鎖方向に付勢するとともに、前記第２レバーの下端部が前記当接部に当接したときを特定位置として、この特定位置を基点として前記遮光扉開閉機構を前記扉開放方向及び前記扉閉鎖方向に付勢する付勢力の方向が反転する第３バネとを具備してなることを特徴とするカートリッジ室の蓋の開閉機構。
【請求項２】
請求項１記載のカートリッジ室の蓋の開閉機構において、
前記カメラ本体に係止部が設けられ、前記第１レバーに、前記蓋を開放した際に前記係止部に係止するとともに、前記蓋を閉じた際に、該蓋によって押圧されて前記係止部への係止が解除されるアームが設けられていることを特徴とするカートリッジ室の蓋の開閉機構。
【請求項３】
請求項１または２記載のカートリッジ室の蓋の開閉機構において、
前記遮光扉開閉機構が、前記カメラ本体に設けられて、前記カートリッジ室に装填されたフィルムカートリッジの遮光扉を開閉可能に駆動させる遮光扉開閉駆動部材と、この遮光扉開閉駆動部材と前記第１レバーとの間に設けられて、前記第１レバーの回動によって前記遮光扉開閉駆動部材を駆動させる中間レバーと
から構成され、
前記第３バネが、前記遮光扉開閉駆動部材と前記中間レバーのうちの少なくともいずれか一方に設けられていることを特徴とするカートリッジ室の蓋の開閉機構。
【発明の詳細な説明】
【０００１】
【発明の属する技術分野】
本発明は、遮光扉付きフィルムカートリッジを使用するカメラにおいて、該フィルムカートリッジが装填されるカートリッジ室を開閉する蓋の開閉機構に関するものである。
【０００２】
【従来の技術】
近年、フィルムをカートリッジ内に全て収納した状態でカメラに装填した後、カートリッジの遮光扉を開放するように構成されたフィルムカートリッジが提案されている。
このフィルムカートリッジを使うためには遮光扉を開閉する機構が必要であり、該フィルムカートリッジを装填する際に、この機構が遮光扉の閉位置と一致する状態に保持される必要があり、また、遮光扉を開放した際にも、その位置に保持されることが望ましい。そのため、反転バネなどによって各々の位置に付勢される必要がある。
さらに、カートリッジ室の蓋を開閉する機構においては、蓋を閉じる際に前記反転バネの付勢力に打ち勝つようなバネによって、蓋を係止する位置まで移動させなければならない。
【０００３】
【発明が解決しようとする課題】
したがって、カートリッジ室の蓋を開けるときには、前記両方のばねの付勢力以上の力量で蓋を操作する必要があり、該力量が大きくなって操作性が悪いという問題があった。また、大きな力量のばねを小さい空間に組み込むことは設計上でも無理があった。
本発明は上記事情に鑑みてなされたもので、カートリッジ室の蓋開放時の操作力量を軽減して操作性をよくすることができ、かつ設計上の自由度を増すことができるカートリッジ室の蓋の開閉機構を提供することを目的としている。
【０００４】
【課題を解決するための手段】
上記目的を達成するために、本発明の請求項１のカートリッジ室の蓋の開閉機構は、カメラ本体に設けられたカートリッジ室を開閉する蓋と、
前記カメラ本体に、同軸に回動自在に取付けられた第１および第２レバーと、
前記第１レバーを、前記蓋に係止するために該蓋側に向けて付勢する第１バネと、
前記第１レバーと第２レバーとを連結する第２バネと、
前記蓋に設けられて、前記第２レバーが前記第１レバーとともに前記第１バネの付勢力に抗して所定量回転した際に、該第２レバーの下端部が当接して、該第２レバーの回転を阻止する当接部と、
前記カメラ本体に設けられて、前記第１レバーの回動によって、前記カートリッジ室に装填されたフィルムカートリッジの遮光扉を開閉する遮光扉開閉機構と、
この遮光扉開閉機構に設けられて、該遮光扉開閉機構を前記遮光扉が開放される扉開放方向及び前記遮光扉が閉鎖される扉閉鎖方向に付勢するとともに、前記第２レバーの下端部が前記当接部に当接したときを特定位置として、この特定位置を基点として前記遮光扉開閉機構を前記扉開放方向及び前記扉閉鎖方向に付勢する付勢力の方向が反転する第３バネとを具備してなるものである。
【０００５】
前記第２バネは、前記第２レバーが前記第１レバーとともに前記第１バネの付勢力に抗して所定量回転して、該第２レバーの下端部が前記当接部に当接して、該第２レバーの回転が阻止され、さらに、第１レバーが回転した際に、該第１レバーを第２レバー側に付勢するものである。
また、前記第３バネは、前記第２レバーの下端部が前記当接部に当接するまでは、遮光扉開閉機構を前記遮光扉が開かれる方向に付勢し、前記第２レバーの下端部が前記当接部に当接してからは、遮光扉開閉機構を前記遮光扉が閉じられる方向に付勢するものである。
さらに、第３バネの力量（付勢力）は、第１および第２バネの合成力量より小さく設定されている。
【０００６】
請求項１の蓋の開閉機構にあっては、第１レバーの爪部が蓋の係止爪に係止している蓋の閉鎖状態から蓋を開放する際において、まず、第１レバーを前記第１バネの付勢力に抗して蓋から離間する方向に回転させると、この第１レバーと第２レバーとが第２バネによって連結されているので、第２レバーも同方向に回転する。
【０００７】
そして、第２レバーの下端部が前記蓋に設けられた当接部に当接するまでは、第１および第２レバーが一体的に回転するので、第２バネはこれら第１および第２レバーの回転に影響することがない。
一方、前記第１レバーを回転させることによって、前記遮光扉開閉機構が駆動して、遮光扉を閉じる方向に駆動させるが、この際、遮光扉開閉機構は、前記第３バネによって前記遮光扉が開かれる方向に付勢されるので、第３バネの付勢力に抗して駆動される。したがって、前記第１および第２レバーは、第１および第３バネの付勢力に抗して回転される。
【０００８】
次に、前記第２レバーの下端部が前記当接部に当接すると、第２レバーの回転が阻止されて、前記第１レバーは第２バネによって逆方向に付勢される。一方、前記第２レバーの下端部が前記当接部に当接したときを特定位置として、この特定位置を基点として、前記第３バネの付勢力が反転する。したがって、前記第１レバーは、第３バネによって前記遮光扉回転機構を介して回転方向に付勢される。
よって、前記第１レバーを回すには、前記特定位置までは、第１バネと第３バネの力量を合成した力量が必要であり、一方、特定位置からは、第１および第２バネの合成力量から、第３バネの力量を引いた力量でよい。つまり、第１〜第３バネの力量を適宜設定することで、第１レバーを回すに必要な力量を前記特定位置から少なくすることができる。
【０００９】
また、前記第１レバーを回転させることにより遮光扉回転機構が駆動して、遮光扉が閉じるとともに、第１レバーが蓋から外れ、これによって蓋の係止が解除され、該蓋が開放される。なお、蓋を開放した状態においては、第１レバーが元に戻らないように、所定位置に係止しておく。
【００１０】
蓋を開放状態から閉鎖する際においては、まず、蓋をカートリッジ室の開口部に被せると、蓋の当接部が前記第２レバーの下端部に当接して、該第２レバーを押圧する。この際、第１レバーは係止された状態であるので、蓋を閉じるときに必要な力量は、第２バネを付勢する力量である。
被せた蓋をさらに押すと、前記第１レバーの係止が外れ、第１および第２レバーは、第１および第２バネの付勢力によって蓋を係止する方向に回転する。
一方、前記第１レバーが回転すると、前記遮光扉開閉機構が駆動して、遮光扉を開く方向に駆動させるが、この際、遮光扉開閉機構は、前記第３バネによって前記遮光扉が閉じる方向に付勢される。したがって、前記第１および第２レバーは、第１および第２バネの付勢力から第３バネの付勢力を引いた付勢力で回転する。
【００１１】
遮光扉開閉機構が駆動して前記特定位置を過ぎると、前記第３バネの付勢力が反転する。したがって、前記第１および第２レバーは、第３バネの付勢力も加わって回転し、第１レバーの爪部が蓋の係止爪に係止して、カートリッジ室の開口部が蓋によって閉鎖される。一方、遮光扉開閉機構の駆動によってフィルムカートリッジの開閉扉が開放される。
【００１２】
請求項２のカートリッジ室の蓋の開閉機構は、請求項１において、前記カメラ本体に係止部を設け、前記第１レバーに、前記蓋を開放した際に前記係止部に係止するとともに、前記蓋を閉じた際に、該蓋によって押圧されて前記係止部への係止が解除されるアームを設けたものである。
【００１３】
請求項２のカートリッジ室の蓋の開閉機構にあっては、請求項１と同様の工程で、カートリッジ室の蓋を開閉するが、前記カメラ本体に係止部が設けられ、前記第１レバーに前記係止部に係脱自在に係止するアームが設けられているので、該蓋を開放した際に、アームを係止部に係止させることによって、第１レバーが元に戻らないように係止しておくことができ、また、蓋を閉鎖する際に、被せた蓋を押すと、前記アームが係止部から外れ、第１および第２レバーを、第１および第２バネの付勢力によって蓋を係止する方向に回転させることができる。
【００１４】
請求項３のカートリッジ室の蓋の開閉機構は、請求項１または２において、前記遮光扉開閉機構を、前記カメラ本体に設けられて、前記カートリッジ室に装填されたフィルムカートリッジの遮光扉を開閉可能に駆動させる遮光扉開閉駆動部材と、この遮光扉開閉駆動部材と前記第１レバーとの間に設けられて、前記第１レバーの回動によって前記遮光扉開閉駆動部材を駆動させる中間レバーとで構成し、前記第３バネを、前記遮光扉開閉駆動部材と前記中間レバーのうちの少なくともいずれか一方に設けたものである。
【００１５】
前記遮光扉開閉駆動部材は、例えば、軸回りに回動自在に設けられたギヤと、このギヤに同軸に設けられて遮光扉を開閉する開閉軸に係合する係合部とから構成し、第３バネを設ける場合、前記ギヤの端面とカメラ本体との間に設ける。
また、前記中間レバーは、前記ギヤの軸と平行離間した軸回りに回動自在に設けられた円板の外周の一部に、前記ギヤと嵌合するギヤ部が形成されるとともに、前記第１レバーと係合する部材が設けられたものである。そして、この中間レバーに第３バネを設ける場合、前記円板の端面とカメラ本体との間に設ける。
【００１６】
請求項３のカートリッジ室の蓋の開閉機構にあっては、請求項１または２と同様の工程で、カートリッジ室の蓋を開閉するが、前記遮光扉開閉機構を、遮光扉開閉駆動部材と、第１レバーの回動によって前記遮光扉開閉駆動部材を駆動させる中間レバーとによって構成したので、前記第１レバーを回動させることによって、中間レバーが回動し、この中間レバーが回動することによって、遮光扉開閉駆動部材が回動して遮光扉を開閉させる。
【００１７】
【発明の実施の形態】
以下、図面を参照して本発明のカートリッジ室の蓋の開閉機構の実施の形態の一例を説明する。
図１は、カートリッジ室の蓋が閉じた状態示す分解斜視図であり、図において符号１はカメラ本体、２は第１レバー、３は第２レバー、４は遮光扉開閉機構、５は蓋をそれぞれ示す。
【００１８】
前記カメラ本体１内の側部には、その下部にボス６が形成されている。このボス６は例えば、カメラ本体のカートリッジ室７の側面を形成する壁部に立設されたもので、該ボス６には、前記第１レバー２と、第２レバー３とがそれらに形成された嵌合穴２ａ，３ａをボス６に回動自在に外挿することで、回動自在に嵌合されている。なお、レバー２，３をボス６に嵌合する場合、第１レバー２が第２レバー３の外側に位置するようにして嵌合する。
【００１９】
前記第１レバー２の外側には円板状のギヤ部材８が設けられており、このギヤ部材８の端面には、操作ツマミ９が一体に固定されている。これらギヤ部材８と操作ツマミ９とは、ネジ１０によって回転可能に軸止されており、当該ネジ１０は、前記第１レバー２および第２レバー３に形成された開孔部２ｂ，３ｂを通して前記カメラ本体１にねじ込まれている。
なお、前記開孔部２ｂ，３ｂは、第１レバー２および第３レバー３が前記ボス６を軸として回動できるような長孔に形成されている。また、前記操作ツマミ９は、図２に示すように、カメラ本体１の側面側に露出するようにして取付けられている。
【００２０】
さらに、前記第１レバー２の上部には、図１に示すように、ラチェット部１１が設けられており、このラチェット部１１には前記ギヤ部材８が噛合されている。したがって、第１レバー２は、前記操作ツマミ９を回転させることによって、ギヤ部材８、ラチェット部１１を介して、ボス６を軸として回転するようになっている。
また、前記第１レバー２の下部には爪部１２が設けられている。この爪部１２は前記蓋５に設けられた係止爪１３に着脱自在に係止するものであり、カートリッジ室７の開口部に蓋５を被せたうえで、係止爪１３に係止することにより、蓋５を開かないように固定するようになっている。
【００２１】
前記蓋５は、略方形板状をなすもので、その一辺部をカメラ本体１の下面にヒンジ部１４によって回動自在に取付けることにより、前記カートリッジ室７の開口部を開閉可能としている。また、蓋５には、前記係止爪１３に隣接して突出部（当接部）１５が設けられている。さらに、蓋５の中央部には、前記カートリッジ室７に装填されたフィルムカートリッジのフィルム巻軸であるスプールの下端部を支持する軸部１６が設けられている。
【００２２】
また、前記第１レバー２の下部には、アーム１７が前記爪部１２の前方に設けられ、一方、カメラ本体１にはその下部内面に係止部１８が設けられている。
前記アーム１７は、前記蓋５を開放した際に前記係止部１８に係止して第１レバー２の戻りを防止するとともに、前記蓋５を閉じた際に、該蓋５によって押圧されて前記係止部１８への係止が解除されるものであり、基端部を支点としてに撓み可能に形成されている。
【００２３】
さらに、前記第１レバー２の下部裏面側にはピン１９が立設され、一方、カメラ本体１の壁部にはピン２０が立設され、これらピン１９，２０には第１バネ２１のそれぞれの端部が取付けられている。この第１バネ２１は、前記第１レバー２を、それに設けられた爪部１２が前記蓋５に設けられた係止爪１３に係合する方向に付勢するもので、図１においては、第１レバー２をボス６を軸として時計方向に付勢している。
また、前記第１レバーの上部裏面側にはピン２２が立設され、一方、前記第２レバー３の上部には突出部２３が設けれ、これらピン２２と突出部２３とには第２バネ２４のそれぞれの端部が取付けられている。この第２バネ２４は、前記第１レバー２と第２レバー３とを、これらが互に接近するような付勢状態で連結するものであり、この付勢状態を保持するために、第２レバー３にはストッパー用の長孔２５が形成され、この長孔２５には第１レバー２に形成された突部２６が挿通されている。
【００２４】
また、前記第２レバー３の下部には下方に延在する脚部２７が設けられている。この脚部２７は、第２レバー３が前記第１レバー２とともに前記第１バネ２１の付勢力に抗して所定量回転した際に、前記蓋５に設けられた突出部（当接部）１５に当接するものであり、当接することによって、第２レバー３のそれ以上の回転を阻止するようになっている。
【００２５】
また、前記カメラ本体１内には、前記第１レバー２の回動によって、前記カートリッジ室７に装填されたフィルムカートリッジの遮光扉を開閉する遮光扉開閉機構４が設けられている。
すなわち、この遮光扉開閉機構４は、遮光扉開閉駆動部材３１と、この遮光扉開閉駆動部材３１と前記第１レバー２との間に設けられて、該第１レバー２の回動によって前記遮光扉開閉駆動部材３１を駆動させる中間レバー３２とから構成されている。
【００２６】
前記遮光扉開閉駆動部材３１は、軸回りに回動自在に設けられたギヤ３３と、このギヤ３３に同軸に設けられて、図３に示すようなフィルムカートリッジ３４の遮光扉３４ａを開閉する開閉軸３４ｂの上端部に係合する係合部３５とから構成されている。
一方、前記中間レバー３２は、図１に示すように、前記ギヤ３３の軸と平行離間した軸回りに回動自在に設けられた円板の外周の一部に形成されて、前記ギヤ３３と噛合するギヤ部３６と、前記円板の外周に、前記ギヤ部３６と対向する位置に形成された係合部３７とから構成されている。この係合部３７は、前記第１レバー２側に突出するもので、その先端部が第１レバー２の上端部に形成された孔２ｃに挿通係合されている。
【００２７】
そして、上記構成の遮光扉開閉機構４においては、前記第１レバー２をボス６を軸として回動させることによって、中間レバー３２が回動し、この中間レバー３２が回動することによって、遮光扉開閉駆動部材３１が回動し、その係合部３５によって遮光扉３４ａを開閉させるようになっている。
【００２８】
また、前記遮光扉開閉駆動部材３１のギヤ３３の端面には、第３バネ３８の一端部が取付けられ、この第３バネ３８の他端部はカメラ本体１に取付けられている。前記第３バネ３８は、前記第２レバー３の下端部の脚部２７が前記蓋５の突出部（当接部）１５に当接したときを特定位置として、この特定位置を基点として付勢力の方向が反転するように構成されたもので、前記第２レバー３の下端部の脚部２７が前記蓋５の突出部（当接部）１５に当接するまでは、前記遮光扉開閉機構４のギヤ３３を時計方向に付勢し、かつ、前記脚部２７が前記突出部１５に当接してからは、前記ギヤ３３を反時計方向に付勢するようになっている。なお、前記第３バネ３８の力量（付勢力）は、第１バネ２１および第２バネ２４の合成力量より小さく設定されている。
【００２９】
次に、上記構成のカートリッジ室の蓋の開閉機構の作用について説明する。
（１）蓋を閉鎖状態から開放する場合
図１、図４および図５はカートリッジ室７の蓋５が閉じた状態を示すものである。この状態において、第１レバー２の爪部１２は蓋５の係止爪１３に係合しており、該第１レバー２は、第１バネ２１および第３バネ３８によって、時計方向に付勢されている。
【００３０】
上記の状態において、まず、撮影者が操作ツマミ９を反時計方向に回転させる。すると、ギヤ部材８が同方向に回転し、これによって、図７に示すように、第１レバー２が第１バネ２１の付勢力に抗して同方向に回転する。第２レバー３は第２バネ２４によって第１レバー２に連結されているので、該第１レバー２と一体的に同方向に回転する。
そして、第２レバー３の脚部２７が蓋５に設けられた突出部１５に当接するまでは、第１レバー２および第２レバー３が一体的に回転するので、第２バネ２４はこれら第１レバー２および第２レバー３の回転に影響することがない。
【００３１】
一方、前記第１レバー２が反時計方向に回転することによって、図６に示すように、前記遮光扉開閉機構４の中間レバー３２が時計方向に回転し、これによって、遮光扉開閉駆動部材３１のギヤ３３が第３バネ３８の付勢力に抗して反時計方向に回転する。
このように、前記ギヤ３３は中間レバー３２を介して第１レバー２によって回転されるので、第１レバー２は、第３バネ３８によっても時計方向に付勢される。したがって、前記第１レバー２および第２レバー３を反時計方向に回転させるには、第１バネ２１および第３バネ２８の付勢力に抗して、前記操作ツマミ９を回転させる。
【００３２】
次に、前記第２レバー３の下端部の脚部２７が前記蓋５の突出部１５に当接すると、図９に示すように、該第２レバー３の回転は阻止されるが、第１レバー２はさらに反時計方向に回転するので、該第１レバー２は前記第２バネ２４によって逆方向つまり時計方向に付勢される。
一方、前記第２レバー３の脚部２７が前記突出部１５に当接したときを特定位置（図６参照）として、この特定位置を基点として、図８に示すように、前記第３バネ３８の付勢力が反転する、つまり、第３バネ３８によって、前記ギヤ３３が反時計方向に付勢され、中間レバー３２を介して第１レバー２が反時計方向に付勢される。
【００３３】
よって、前記第１レバー２を反時計方向に回すには、つまり、操作ツマミ９を反時計方向（蓋５の係止を解除する方向）に回すには、前記特定位置までは、第１バネ２１と第３バネ３８の力量を合成した力量が必要であり、一方、特定位置からは、第１バネ２１および第２バネ２４の合成力量から、第３バネ３８の力量を引いた力量でよい。つまり、第１〜第３バネの力量を適宜設定することで、第１レバ２ーを回すに必要な力量、言い換えれば、操作ツマミ９を操作する力量を前記特定位置から少なくすることができる。
例えば、第１バネ２１と第３バネ３８の力量をそれぞれＰ、第２バネ２４の力量をｐとし、かつＰ＞ｐとすれば、操作ツマミ９を操作するに必要な力量は、前記特定位置までは２Ｐ、特定位置からはｐとなる。
【００３４】
そして、前記第１レバー２が回転することにより、図１０に示すように、前記遮光扉回転機構４のギヤ３３が回転して、係合部３５が回転し、これによって図３に示す遮光扉３４ａが閉じるとともに、図９および図１１に示すように、第１レバー２の爪部１２が蓋５の係止爪１３から外れ、これによって蓋５の係止が解除され、該蓋５が開放される。また、蓋５が開放されると、図１１に示すように、第１レバー２のアーム１７がカメラ本体１に設けられた係止部１８に係止して、第１レバー２および第２レバー３をそれらが元に戻らないように開放位置に係止する。
【００３５】
なお、この開放状態において、万が一、前記アーム１７が係止部１８から外れて、第１レバー２が回転した場合において、これを知らずに撮影者が蓋５を閉じようとしても、蓋５の係止爪１３が第１レバー２の爪部１２に当たるため、蓋５を閉じることができない。
したがって、第１レバー２が回転して、前記遮光扉開閉駆動部材３１の係合部３５が回転して、該係合部３５と、図３に示すフィルムカートリッジ３４の開閉軸３４ｂとの位相ズレが起こった場合、上述したように、蓋５を閉じることができないので、蓋５をロックすることができず、誤作動あるいは破損を防止することができる。
【００３６】
（２）蓋を開放状態から閉鎖する場合
次に、蓋５の開放状態から該蓋５を閉鎖する際においては、まず、フィルムカートリッジ３４を装填して、蓋５をカートリッジ室７の開口部に被せると、蓋５の突出部１５が前記第２レバ３ーの脚部２７に当接して、該第２レバー３を押圧する。この際、第１レバー２はそのアーム１７が前記係止部１８係止された状態であるので、蓋５を閉じるときに必要な力量は、第２バネ２４を付勢する力量である。
【００３７】
被せた蓋５をさらに押すと、図１３に示すように、前記第１レバー２のアーム１７が蓋５の係止爪１３の背中で押圧されて撓んで、係止部１８から外れる。すると、第１レバー２および第２レバー３は、第１バネ２１および第２バネ２４の付勢力によって時計方向に回転する。
一方、前記第１レバー２が時計方向に回転すると、図１２に示すように、前記遮光扉開閉機構４の中間レバー３２が反時計方向に回転し、これによって、遮光扉開閉駆動部材３１のギヤ３３が前記第３バネ３８の付勢力に抗して時計方向に回転する。
したがって、前記第１レバー２および第２レバー３は、第１バネ２１および第２バネ２４の付勢力から第３バネ３８の付勢力を引いた付勢力で回転する。
【００３８】
前記遮光扉開閉駆動部材３１のギヤ３３が回転して前記特定位置を過ぎると、前記第３バネ３８の付勢力が反転する、つまり、ギヤ３３は第３バネ３８によって時計方向に付勢される。
したがって、前記第１レバー２および第２レバー３は、第３バネ３８の付勢力も加わって回転し、第１レバー２の爪部１２が蓋５の係止爪１３に係止して、カートリッジ室７の開口部が蓋５によって閉鎖される。
一方、前記遮光扉開閉駆動部材３１の時計方向の回転によって、フィルムカートリッジ３４の開閉扉３４ａが開放される。
【００３９】
上述したようなカートリッジ室の蓋の開閉機構にあっては、フィルムカートリッジ３４の開閉扉３４ａの開閉状態を確実に保持するに必要とされる力量を、第１バネ２１、第２バネ２４、第３バネ３８のそれぞれの力量に分割し、これらバネ２１，２４，３８の力量を、第１レバー２、第２レバー３、中間レバー３２、遮光扉開閉駆動部材３１によって効率的に伝達するようにしたので、蓋開放時の操作力量を軽減し、操作性をよくすることができる。
また、上記のように、バネの力量を分割したので、設計の自由度を増すことができ、さらに、組立も容易に行うことができる。
なお、上記の例では、第３バネ３８をギヤ３３に取付けたが、当該第３バネ３８は中間レバー３２に設けてもよく、また、ギヤ３３と中間レバー３２の両方に設けてもよい。
【００４０】
【発明の効果】
以上説明したように、本発明の請求項１のカートリッジ室の蓋の開閉機構は、カートリッジ室を開閉する蓋と、第１および第２レバーと、前記第１レバーを付勢する第１バネと、該第１レバーと第２レバーとを連結する第２バネと、前記第２レバーが所定量回転した際に、該第２レバーの下端部が当接して、該第２レバーの回転を阻止する当接部と、前記第１レバーの回動によって、フィルムカートリッジの遮光扉を開閉する遮光扉開閉機構と、この遮光扉開閉機構を前記遮光扉が開放される扉開放方向及び前記遮光扉が閉鎖される扉閉鎖方向に付勢するとともに、前記第２レバーの下端部が前記当接部に当接したときを特定位置として、この特定位置を基点として前記遮光扉開閉機構を前記扉開放方向及び前記扉閉鎖方向に付勢する付勢力の方向が反転する第３バネとで構成したものであるから、フィルムカートリッジの開閉扉の開閉状態を確実に保持するに必要とされる力量を、第１〜第３バネのそれぞれの力量に分割し、これらバネの力量を、第１レバー２、第２レバー３、遮光扉開閉機構によって効率的に伝達することができ、よって、蓋開放時の操作力量を軽減し、操作性をよくすることができる。また、上記のように、バネの力量を分割したので、設計の自由度を増すことができ、さらに、組立も容易に行うことができる。
【００４１】
請求項２のカートリッジ室の蓋の開閉機構は、請求項１において、カメラ本体に係止部を設け、前記第１レバーに、前記蓋を開放した際に前記係止部に係止するとともに、前記蓋を閉じた際に、該蓋によって押圧されて前記係止部への係止が解除されるアームを設けたものであるから、第１レバーを蓋の開放状態において、確実に係止しておくことができるとともに、蓋を閉鎖する際に、第１レバーの係止を確実に解除することができる。
【００４２】
請求項３のカートリッジ室の蓋の開閉機構は、請求項１または２において、前記遮光扉開閉機構を、フィルムカートリッジの遮光扉を開閉可能に駆動させる遮光扉開閉駆動部材と、この遮光扉開閉駆動部材と前記第１レバーとの間に設けられて、前記第１レバーの回動によって前記遮光扉開閉駆動部材を駆動させる中間レバーとで構成し、前記第３バネを、前記遮光扉開閉駆動部材と前記中間レバーのうちの少なくともいずれか一方に設けたものであるから、前記第１レバーを回動させることによって、中間レバーおよび遮光扉開閉駆動部材を介して遮光扉を確実に開閉させることができる。
【図面の簡単な説明】
【図１】本発明のカートリッジ室の蓋の開閉機構の実施の形態の一例を示すもので、カートリッジ室の蓋が閉じた状態示す分解斜視図である。
【図２】同、フィルムカートリッジを使用するカメラの一例を示す斜視図である。
【図３】同、フィルムカートリッジの一例を示す斜視図である。
【図４】同、蓋の閉鎖状態を示す要部の平面図である。
【図５】同、蓋の閉鎖状態を示す要部の側面図である。
【図６】同、特定位置状態を示す要部の平面図である。
【図７】同、特定位置状態を示す要部の側面図である。
【図８】同、蓋の開放直前状態を示す要部の平面図である。
【図９】同、蓋の開放直前状態を示す要部の側面図である。
【図１０】同、蓋の開放状態を示す要部の平面図である。
【図１１】同、蓋の開放状態を示す要部の側面図である。
【図１２】同、蓋を被せた状態を示す要部の平面図である。
【図１３】同、蓋を被せた状態を示す要部の側面図である。
【符号の説明】
１  カメラ本体
２  第１レバー
３  第２レバー
４  遮光扉開閉機構
５  蓋
７  カートリッジ室
１５  突出部（当接部）
１７  アーム
１８  係止部
２１  第１バネ
２４  第２バネ
３１  遮光扉開閉駆動部材
３２  中間レバー
３３  ギヤ
３４  フィルムカートリッジ
３４ａ  遮光扉
３８  第３バネ
【図１】
0003676864.tif 000002
【図２】
0003676864.tif 000003
【図３】
0003676864.tif 000004
【図４】
0003676864.tif 000005
【図５】
0003676864.tif 000006
【図６】
0003676864.tif 000007
【図７】
0003676864.tif 000008
【図８】
0003676864.tif 000009
【図９】
0003676864.tif 000010
【図１０】
0003676864.tif 000011
【図１１】
0003676864.tif 000012
【図１２】
0003676864.tif 000013
【図１３】
0003676864.tif 000014